(57)【要約】【課題】弾性体の挟持力でデバイダに保持される従来のバンパーに比べ、デバイダに対する保持力を高め、デバイダからの脱落を防止する。【解決手段】前処理部２の前端部に、茎稈を分草する複数のデバイダ８が設けられると共に、複数のデバイダ８に対して着脱自在なバンパー１２を装着してなるコンバイン１において、デバイダ８は、少なくとも一部が金属製（金属製板材１１）であり、バンパー１２は、複数のデバイダ８に対してそれぞれ個別に装着されると共に、バンパー１２内に埋め込まれた永久磁石１３の磁力でデバイダ８（金属製板材１１）に保持される。【選択図】図６
2010158197.tif 000002
【特許請求の範囲】
【請求項１】
刈取部の前端部に、茎稈を分草する複数のデバイダが設けられると共に、複数のデバイダに対して着脱自在なバンパーを装着してなる刈取作業機において、
前記デバイダは、少なくとも一部が金属製であり、
前記バンパーは、複数のデバイダに対してそれぞれ個別に装着されると共に、バンパー内に埋め込まれた磁石の磁力でデバイダに保持される
ことを特徴とする刈取作業機のバンパー構造。
【請求項２】
前記バンパーは、デバイダから取り外したとき、刈取作業機の金属部分に対して、磁石の磁力で保持されることを特徴とする請求項１記載の刈取作業機のバンパー構造。
【発明の詳細な説明】
【技術分野】
【０００１】
本発明は、コンバイン、バインダなどの刈取作業機のバンパー構造に関する。
【背景技術】
【０００２】
コンバイン、バインダなどの刈取作業機は、刈取部の前端部に、茎稈を分草する複数のデバイダが設けられている。デバイダの前端部は、通常、側面視で三角形状の金属製板材で形成されているので、トラックの荷台に載せて運搬する際などには、デバイダの前端部を保護するために、着脱自在なバンパーを装着している。
【０００３】
従来のバンパーは、複数のデバイダの前端部を覆う横長の板材からなり、左右両端のデバイダに対して、ボルト及びナットを用いて取り付けている。そのため、バンパーの取り付けや取り外しに際し、ボルト及びナットの締め付け操作や緩み操作を行う必要があり、着脱作業性に劣るという問題があった。
【０００４】
そこで、複数のデバイダに対してそれぞれ個別に装着されるバンパー（カバー部材）も提案されている（例えば、特許文献１参照）。このバンパーは、全体が弾性体で構成され、デバイダの前端部を覆うと共に、デバイダの前端部を弾性的に挟持することにより、自身がデバイダの前端部に保持させるようになっている。このようなバンパーによれば、ボルトやナットが不要になるので、デバイダに対する着脱が容易になるだけでなく、デバイダから取り外した際、コンパクトに収納できるという利点がある。
【先行技術文献】
【特許文献】
【０００５】
【特許文献１】特開２００８−１７８３３９号公報
【発明の概要】
【発明が解決しようとする課題】
【０００６】
しかしながら、特許文献１に示されるバンパーは、弾性体の挟持力でデバイダに保持されるので、デバイダからの脱落によって紛失の惧れがあり、また、デバイダから取り外した際に紛失する惧れがあるので、刈取作業機の内部に収納場所を確保する必要があった。
【課題を解決するための手段】
【０００７】
本発明は、上記の如き実情に鑑みこれらの課題を解決することを目的として創作されたものであって、刈取部の前端部に、茎稈を分草する複数のデバイダが設けられると共に、複数のデバイダに対して着脱自在なバンパーを装着してなる刈取作業機において、前記デバイダは、少なくとも一部が金属製であり、前記バンパーは、複数のデバイダに対してそれぞれ個別に装着されると共に、バンパー内に埋め込まれた磁石の磁力でデバイダに保持されることを特徴とする。
また、前記バンパーは、デバイダから取り外したとき、刈取作業機の金属部分に対して、磁石の磁力で保持されることを特徴とする。
【発明の効果】
【０００８】
請求項１の発明とすることにより、バンパーは、複数のデバイダに対してそれぞれ個別に装着されるものでありながら、バンパー内に埋め込まれた磁石の磁力でデバイダに保持されるので、弾性体の挟持力でデバイダに保持される従来のバンパーに比べ、デバイダに対する保持力を高め、デバイダからの脱落を防止することができる。
また、請求項２の発明とすることにより、バンパーは、デバイダから取り外したとき、刈取作業機の金属部分に対して、磁石の磁力で保持可能となるので、デバイダから取り外した際に紛失する可能性を低減できるだけでなく、刈取作業機の内部に収納場所を確保する必要がない。
【図面の簡単な説明】
【０００９】
【図１】コンバインの全体左側面図である。
【図２】コンバインの全体正面図である。
【図３】補助デバイダ装置が取り付けられたコンバインの全体左側面図である。
【図４】補助デバイダ装置が取り付けられたコンバインの全体正面図である。
【図５】（Ａ）はバンパーの平面図、（Ｂ）はバンパーの正面図、（Ｃ）はバンパーの左側面図である。
【図６】（Ａ）はバンパー装着状態を示すデバイダの正面図、（Ｂ）はバンパー装着状態を示すデバイダの左側面図である。
【図７】（Ａ）はバンパー装着状態を示す中デバイダの正面図、（Ｂ）はバンパー装着状態を示す中デバイダの左側面図である。
【図８】（Ａ）はバンパー装着状態を示す補助デバイダ装置（前端部のみ）の正面図、（Ｂ）はバンパー装着状態を示す補助デバイダ装置（前端部のみ）の左側面図である。
【発明を実施するための形態】
【００１０】
以下、本発明の実施の形態について、図面に基づいて説明する。図１〜図４において、１はコンバイン（刈取作業機）であって、該コンバイン１は、茎稈を刈取る前処理部（刈取部）２、刈取茎稈から穀粒を脱穀して選別する脱穀部３、選別した穀粒を貯溜する穀粒タンク４、脱穀済みの排稈を後処理する後処理部５、オペレータが乗車する運転部６、左右一対のクローラ走行装置からなる走行部７などを備えて構成されている。
【００１１】
前処理部２は、未刈り茎稈の株元付近を分草するデバイダ８、茎稈を引き起す引起装置９、茎稈の株元付近を掻き込むスターホイル（図示せず）及び掻込ベルト（図示せず）、茎稈の株元を切断する刈刃１０、刈取茎稈を集稈して後方へ搬送する株元搬送装置（図示せず）、茎稈の扱深さを調節する扱深さ搬送装置（図示せず）などを備えて構成される。
【００１２】
デバイダ８は、刈取条端及び刈取条間に位置するように、左右方向に所定の間隔を存して、前処理部２の前端部に複数設けられている。デバイダ８の個数は、刈取条数＋１であり、例えば、４条刈りの前処理部２は、５つのデバイダ８を備える。デバイダ８の前端部は、側面視で三角形状の金属製板材１１で形成されているが、金属製板材１１の形状は一種類ではなく、複数種類の形状がある。例えば、図１及び図２に示すように、同一機種においても、茎稈合流経路の外側に設けられるデバイダ８Ａと、茎稈合流経路の中間に設けられる中デバイダ８Ｂとでは、金属製板材１１Ａ、１１Ｂの形状（先端角度）が相違しており、また、引起爪１３で強制的な分草を行うオプション仕様の補助デバイダ装置８Ｃを装着した場合も、金属製板材１１Ｃの形状（先端角度及び厚さ）が相違することになる。
【００１３】
図１〜図４に示すように、コンバイン１は、デバイダ８の前端部に着脱自在に装着可能なバンパー１２を備えている。このバンパー１２は、コンバイン１をトラックの荷台に載せて運搬する際などにデバイダ８の前端部に装着され、デバイダ８の前端部を保護するようになっている。
【００１４】
本発明の実施形態に係るバンパー１２は、複数のデバイダ８に対してそれぞれ個別に装着されるように構成されると共に、ボルトやナットを用いることなく、各デバイダ８に保持させるようになっている。このようなバンパー１２によれば、デバイダ８に対する着脱が容易になるだけでなく、デバイダ８から取り外した際、コンパクトに収納できるという利点がある。以下、本発明の実施形態に係るバンパー１２の構造について、図５〜図８を参照して説明する。
【００１５】
図５に示すように、本発明の実施形態に係るバンパー１２は、合成ゴムなどの弾性体からなり、デバイダ８に対して装着するための保持部を有している。本実施形態の保持部は、デバイダ８（金属製板材１１）の前端部形状に対応した保持穴１２ａであり、該保持穴１２ａに金属製板材１１の先端部を嵌合状に挿入することによって、バンパー１２が、金属製板材１１の先端部を被覆しつつ、デバイダ８に保持されるようになっている。このようなバンパー１２によれば、ボルトやナットを用いることなく、各デバイダ８にバンパー１２を保持させることが可能であるが、金属製板材１１との嵌合だけでは保持力が不足し、バンパー１２がデバイダ８から脱落する惧れがある。
【００１６】
そこで、本実施形態のバンパー１２においては、その内部に永久磁石（磁石）１４を埋め込み、該永久磁石１４の磁力を利用してバンパー１２の脱落を防止する。例えば、バンパー１２における保持穴１２ａの前端位置に永久磁石１４を埋め込み、保持穴１２ａに挿入した金属製板材１１の先端部を永久磁石１４に磁着させる。このようにすると、バンパー１２は、複数のデバイダ８に対してそれぞれ個別に装着されるものでありながら、バンパー１２内に埋め込まれた永久磁石１４の磁力でデバイダ８に保持されるので、弾性体の挟持力でデバイダ８に保持される従来のバンパーに比べ、デバイダ８に対する保持力を高め、デバイダ８からの脱落を防止することができる。
【００１７】
また、バンパー１２は、デバイダ８から取り外したとき、コンバイン１の金属部分（金属製カバーなど）に対して、永久磁石１４の磁力で保持されることが好ましい。例えば、バンパー１２の底面に永久磁石１４の一部を露出させておき、該露出部をコンバイン１の金属部分に磁着させることにより、不使用状態のバンパー１２をコンバイン１の任意箇所に収納可能とする。このように構成されたバンパー１２によれば、デバイダ８から取り外した際に紛失する可能性を低減できるだけでなく、コンバイン１の内部に収納場所を確保する必要がない。
【００１８】
また、本発明の実施形態に係るバンパー１２は、複数のデバイダ８に対してそれぞれ個別に装着するにあたり、各種デバイダ８Ａ〜８Ｃ（金属製板材１１Ａ〜１１Ｃ）の形状に対応した複数種類の保持部を有し、一種類のバンパー１２で複数種類のデバイダ形状に対応可能としてある。例えば、各種デバイダ８Ａ〜８Ｃ（金属製板材１１Ａ〜１１Ｃ）の先端部形状に対応した複数種類の保持穴１２ａ〜１２ｃを、多面体からなるバンパー１２の一つの面に形成する。
【００１９】
このようなバンパー１２によれば、複数のデバイダ８Ａ〜８Ｃ（金属製板材１１Ａ〜１１Ｃ）に対してそれぞれ個別に装着されるものでありながら、一種類のバンパー１２で複数種類のデバイダ形状に対応することができるので、デバイダ８Ａ〜８Ｃの種類毎に専用のバンパー１２を用意する場合に比べ、コストダウンが図れる。しかも、各種デバイダ８Ａ〜８Ｃ（金属製板材１１Ａ〜１１Ｃ）の先端部形状に対応した複数種類の保持穴１２ａ〜１２ｃをバンパー１２の一つの面にまとめて形成した場合は、バンパー１２の成形が容易になると共に、各種のデバイダ８Ａ〜８Ｃに対して同等の操作で装着することができる。
【００２０】
叙述の如く構成された本実施形態によれば、前処理部２の前端部に、茎稈を分草する複数のデバイダ８が設けられると共に、複数のデバイダ８に対して着脱自在なバンパー１２を装着してなるコンバイン１において、デバイダ８は、少なくとも一部が金属製（金属製板材１１）であり、バンパー１２は、複数のデバイダ８に対してそれぞれ個別に装着されると共に、バンパー１２内に埋め込まれた永久磁石１３の磁力でデバイダ８（金属製板材１１）に保持されるので、弾性体の挟持力でデバイダ８に保持される従来のバンパーに比べ、デバイダ８に対する保持力を高め、デバイダ８からの脱落を防止することができる。
【００２１】
また、バンパー１２は、デバイダ８から取り外したとき、コンバイン１の金属部分に対して、永久磁石１３の磁力で保持されるので、デバイダ８から取り外した際に紛失する可能性を低減できるだけでなく、コンバイン１の内部に収納場所を確保する必要がない。
【符号の説明】
【００２２】
１  コンバイン
２  前処理部
８Ａ  デバイダ
８Ｂ  中デバイダ
８Ｃ  補助デバイダ装置
１１Ａ〜１１Ｃ  金属製板材
１２  バンパー
１２ａ〜１２ｃ  保持穴
１４  永久磁石
【図１】
2010158197.tif 000003
【図２】
2010158197.tif 000004
【図３】
2010158197.tif 000005
【図４】
2010158197.tif 000006
【図５】
2010158197.tif 000007
【図６】
2010158197.tif 000008
【図７】
2010158197.tif 000009
【図８】
2010158197.tif 000010